(57)【要約】【課題】  光ファイバの接続順序を容易に確認できる伝送装置、伝送システム、接続確認方法、及び接続確認プログラムを提供する。【解決手段】  伝送装置は、光ファイバにより互いに接続され、前記光ファイバを介し光信号を伝送する複数の伝送ユニットと、前記複数の伝送ユニットをそれぞれ制御する制御ユニットとを有し、前記複数の伝送ユニットは、それぞれ、前記光信号を検出する検出部と、前記光信号を変調する変調部とを有し、前記制御ユニットは、前記複数の伝送ユニットの各々の前記変調部に順次に前記光信号を変調させ、前記複数の伝送ユニットのうち、前記変調部が前記光信号を変調した第１伝送ユニット及び前記検出部が該変調された前記光信号を検出した第２伝送ユニットの対応関係を記録し、該記録結果に基づき、前記複数の伝送ユニットの間の前記光ファイバの接続の順序を特定する。【選択図】図１６
2017212604.tif 000002
【特許請求の範囲】
【請求項１】
光ファイバにより互いに接続され、前記光ファイバを介し光信号を伝送する複数の伝送ユニットと、
前記複数の伝送ユニットをそれぞれ制御する制御ユニットとを有し、
前記複数の伝送ユニットは、それぞれ、前記光信号を検出する検出部と、前記光信号を変調する変調部とを有し、
前記制御ユニットは、
前記複数の伝送ユニットの各々の前記変調部に順次に前記光信号を変調させ、
前記複数の伝送ユニットのうち、前記変調部が前記光信号を変調した第１伝送ユニット及び前記検出部が該変調された前記光信号を検出した第２伝送ユニットの対応関係を記録し、
該記録結果に基づき、前記複数の伝送ユニットの間の前記光ファイバの接続の順序を特定することを特徴とする伝送装置。
【請求項２】
前記制御ユニットは、前記第１伝送ユニットの各々に対応する前記第２伝送ユニットの数の順位から前記光ファイバの接続の順序を特定することを特徴とする請求項１に記載の伝送装置。
【請求項３】
前記複数の伝送ユニットのうち、第３伝送ユニットは、前記光信号を生成する生成部を有し、
前記制御ユニットは、
前記生成部に前記光信号を生成させ、
前記第３伝送ユニットの前記変調部に前記光信号を変調させ、
前記複数の伝送ユニットのうち、前記検出部が該変調された前記光信号を検出した伝送ユニットを選択し、
前記第３伝送ユニットの前記変調部に前記光信号の変調を停止させ、
前記複数の伝送ユニットのうち、該選択した伝送ユニットの各々の前記変調部に順次に前記光信号を変調させることを特徴とする請求項１または２に記載の伝送装置。
【請求項４】
前記制御ユニットは、
該特定した前記光ファイバの接続の順序を所定の接続の順序と比較し、
前記光ファイバの接続の順序が前記所定の接続の順序に一致しない場合、警報を出力することを特徴とする請求項１乃至３の何れかに記載の伝送装置。
【請求項５】
前記変調部は、前記光信号のレベルが変動するように前記光信号を変調することを特徴とする請求項１乃至４の何れかに記載の伝送装置。
【請求項６】
伝送装置と、前記伝送装置を管理する管理装置とを有し、
前記伝送装置は、
光ファイバにより互いに接続され、前記光ファイバを介し光信号を伝送する複数の伝送ユニットと、
前記複数の伝送ユニットをそれぞれ制御する制御ユニットとを有し、
前記複数の伝送ユニットは、それぞれ、前記光信号を検出する検出部と、前記光信号を変調する変調部とを有し、
前記制御ユニットは、
前記複数の伝送ユニットの各々の前記変調部に順次に前記光信号を変調させ、
前記複数の伝送ユニットのうち、前記変調部が前記光信号を変調した第１伝送ユニット及び前記検出部が該変調された前記光信号を検出した第２伝送ユニットの対応関係を記録し、
該記録結果に基づき、前記複数の伝送ユニットの間の前記光ファイバの接続の順序を特定し、
該特定した前記光ファイバの接続の順序を所定の接続の順序と比較し、
前記光ファイバの接続の順序が前記所定の接続の順序に一致しない場合、前記管理装置に警報を出力し、
前記管理装置は、前記警報に基づき前記光ファイバの接続の異常を表示することを特徴とする伝送システム。
【請求項７】
光ファイバにより互いに接続され、前記光ファイバを介し光信号を伝送する複数の伝送ユニットの接続確認方法において、
前記複数の伝送ユニットは、それぞれ、前記光信号を検出する検出部と、前記光信号を変調する変調部とを有し、
前記複数の伝送ユニットの各々の前記変調部に順次に前記光信号を変調させる工程と、
前記複数の伝送ユニットのうち、前記変調部が前記光信号を変調した第１伝送ユニット及び前記検出部が該変調された前記光信号を検出した第２伝送ユニットの対応関係を記録する工程と、
該記録結果に基づき、前記複数の伝送ユニットの間の前記光ファイバの接続の順序を特定する工程とを、コンピュータが実行することを特徴とする接続確認方法。
【請求項８】
光ファイバにより互いに接続され、前記光ファイバを介し光信号を伝送する複数の伝送ユニットの接続確認プログラムにおいて、
前記複数の伝送ユニットは、それぞれ、前記光信号を検出する検出部と、前記光信号を変調する変調部とを有し、
前記複数の伝送ユニットの各々の前記変調部に順次に前記光信号を変調させ、
前記複数の伝送ユニットのうち、前記変調部が前記光信号を変調した第１伝送ユニット及び前記検出部が該変調された前記光信号を検出した第２伝送ユニットの対応関係を記録し、
該記録結果に基づき、前記複数の伝送ユニットの間の前記光ファイバの接続の順序を特定する、処理を、コンピュータに実行させることを特徴とする接続確認プログラム。
【発明の詳細な説明】
【技術分野】
【０００１】
本件は、伝送装置、伝送システム、接続確認方法、及び接続確認プログラムに関する。
【背景技術】
【０００２】
波長多重（WDM: Wavelength Divisional Multiplex）伝送装置は、相違する複数の波長の光信号を波長多重して伝送する。ＷＤＭ伝送装置には、光増幅器、光信号を波長ごとに多重する波長選択スイッチ（WSS: Wavelength Selective Switch）、及び波長多重光信号をパワー分岐する光スプリッタなどを有する各種のユニットが多く備えられている。
【０００３】
ユニット同士は多数の光ファイバにより接続されている。光ファイバの接続確認は、例えば確認用の光信号を生成して光ファイバで伝送し、特定の波長の光パス上の各ユニットでその光信号を検出することにより行われる。
【０００４】
ＷＤＭ伝送装置に関し、例えば特許文献１には、所定の波長パスの端局ノードで光信号の光パワーを変位させ、各ノードで光パワーの変位の開始時刻を検出することによりノード間の接続順序を確定する技術が記載されている。また、特許文献２には、チャネル光を強度変調し、その光信号を光スイッチなどの光学部品の前後でモニタすることにより、光学部品のルーティングを確認する技術が記載されている。
【先行技術文献】
【特許文献】
【０００５】
【特許文献１】特開２００６−５０１４３号公報
【特許文献２】特開２００４−３１２２５６号公報
【発明の概要】
【発明が解決しようとする課題】
【０００６】
ＷＤＭ伝送装置の各ユニット間には多数の光ファイバが接続されるため、特定の波長の光パスについてユニット間の光ファイバが誤った順序で接続されることがある。これに対し、確認用の光信号を各ユニット間で送受信すれば光ファイバの接続順序を確認することはできるが、確認用の光信号の送信器及び受信器を、確認対象となる全ての接続区間の各ユニットに設ける必要があるため、装置コストの観点から困難である。
【０００７】
また、仮に特許文献１の技術を用いて、各ユニットから光信号が変位する時刻を収集すれば、その時刻に基づき光ファイバの接続順序の誤りを検出することはできる。しかし、ユニット間の伝送遅延時間は、ノード間の伝送遅延時間とは異なり非常に小さいため、光ファイバの接続順序を確認することは困難である。
【０００８】
そこで本件は上記の課題に鑑みてなされたものであり、光ファイバの接続順序を容易に確認できる伝送装置、伝送システム、接続確認方法、及び接続確認プログラムを提供することを目的とする。
【課題を解決するための手段】
【０００９】
本明細書に記載の伝送装置は、光ファイバにより互いに接続され、前記光ファイバを介し光信号を伝送する複数の伝送ユニットと、前記複数の伝送ユニットをそれぞれ制御する制御ユニットとを有し、前記複数の伝送ユニットは、それぞれ、前記光信号を検出する検出部と、前記光信号を変調する変調部とを有し、前記制御ユニットは、前記複数の伝送ユニットの各々の前記変調部に順次に前記光信号を変調させ、前記複数の伝送ユニットのうち、前記変調部が前記光信号を変調した第１伝送ユニット及び前記検出部が該変調された前記光信号を検出した第２伝送ユニットの対応関係を記録し、該記録結果に基づき、前記複数の伝送ユニットの間の前記光ファイバの接続の順序を特定する。
【００１０】
本明細書に記載の伝送システムは、伝送装置と、前記伝送装置を管理する管理装置とを有し、前記伝送装置は、光ファイバにより互いに接続され、前記光ファイバを介し光信号を伝送する複数の伝送ユニットと、前記複数の伝送ユニットをそれぞれ制御する制御ユニットとを有し、前記複数の伝送ユニットは、それぞれ、前記光信号を検出する検出部と、前記光信号を変調する変調部とを有し、前記制御ユニットは、前記複数の伝送ユニットの各々の前記変調部に順次に前記光信号を変調させ、前記複数の伝送ユニットのうち、前記変調部が前記光信号を変調した第１伝送ユニット及び前記検出部が該変調された前記光信号を検出した第２伝送ユニットの対応関係を記録し、該記録結果に基づき、前記複数の伝送ユニットの間の前記光ファイバの接続の順序を特定し、該特定した前記光ファイバの接続の順序を所定の接続の順序と比較し、前記光ファイバの接続の順序が前記所定の接続の順序に一致しない場合、前記管理装置に警報を出力し、前記管理装置は、前記警報に基づき前記光ファイバの接続の異常を表示する。
【００１１】
本明細書に記載の接続確認方法は、光ファイバにより互いに接続され、前記光ファイバを介し光信号を伝送する複数の伝送ユニットの接続確認方法において、前記複数の伝送ユニットは、それぞれ、前記光信号を検出する検出部と、前記光信号を変調する変調部とを有し、前記複数の伝送ユニットの各々の前記変調部に順次に前記光信号を変調させる工程と、前記複数の伝送ユニットのうち、前記変調部が前記光信号を変調した第１伝送ユニット及び前記検出部が該変調された前記光信号を検出した第２伝送ユニットの対応関係を記録する工程と、該記録結果に基づき、前記複数の伝送ユニットの間の前記光ファイバの接続の順序を特定する工程とを、コンピュータが実行する接続確認方法である。
【００１２】
本明細書に記載の接続確認プログラムは、光ファイバにより互いに接続され、前記光ファイバを介し光信号を伝送する複数の伝送ユニットの接続確認プログラムにおいて、前記複数の伝送ユニットは、それぞれ、前記光信号を検出する検出部と、前記光信号を変調する変調部とを有し、前記複数の伝送ユニットの各々の前記変調部に順次に前記光信号を変調させ、前記複数の伝送ユニットのうち、前記変調部が前記光信号を変調した第１伝送ユニット及び前記検出部が該変調された前記光信号を検出した第２伝送ユニットの対応関係を記録し、該記録結果に基づき、前記複数の伝送ユニットの間の前記光ファイバの接続の順序を特定する、処理を、コンピュータに実行させる接続確認プログラムである。
【発明の効果】
【００１３】
光ファイバの接続順序を容易に確認することができる。
【図面の簡単な説明】
【００１４】
【図１】伝送システムの一例を示す構成図である。
【図２】ＷＤＭ伝送装置の一例を示す構成図である。
【図３】アンプユニットの一例を示す構成図である。
【図４】スイッチユニットの一例を示す構成図である。
【図５】トランスポンダユニットの一例を示す構成図である。
【図６】制御ユニットの一例を示す構成図である。
【図７】パス管理テーブルの一例を示す図である。
【図８】光ファイバの接続及び光パスの一例を示す図である。
【図９】試験光のパタンの一例を示す図である。
【図１０】変調ユニットを切り替えたときの試験光のパタンの一例を示す図である。
【図１１】変調ユニットを切り替えたときの試験光のパタンの一例を示す図である。
【図１２】変調ユニットを切り替えたときの試験光のパタンの一例を示す図である。
【図１３】監視テーブルの一例を示す図である。
【図１４】光ファイバの誤接続及び光パスの一例を示す図である。
【図１５】光ファイバが誤接続された場合の監視テーブルの一例を示す図である。
【図１６】並び替え後の監視テーブルの一例を示す図である。
【図１７】制御ユニットの動作の一例を示すフローチャートである。
【図１８】ネットワーク管理装置の一例を示す構成図である。
【図１９】ネットワーク管理装置の動作の一例を示すフローチャートである。
【図２０】光ファイバの接続確認画面の一例を示す図である。
【発明を実施するための形態】
【００１５】
図１は、伝送システムの一例を示す構成図である。伝送システムは、ノードＡ〜Ｄを含むネットワークＮＷと、ＯｐＳ（Operating System）などのネットワーク管理装置８とを有する。各ノードＡ〜Ｄには、波長が相違する複数の光信号を波長多重して伝送するＷＤＭ伝送装置９が設置されている。
【００１６】
各ノードＡ〜ＤのＷＤＭ伝送装置９は、伝送装置の一例であり、伝送路である光ファイバを介してリング状に接続されている。このため、各ＷＤＭ伝送装置９は、他の２つのＷＤＭ伝送装置９と接続される２つの方路を有する。本例において、ＷＤＭ伝送装置９としては、ＲＯＡＤＭ（Reconfigurable Optical Add and Drop Multiplexer）装置を挙げるが、これに限定されない。なお、ネットワークＮＷの接続形態は、リング状に限定されず、メッシュ状であってもよい。
【００１７】
ネットワーク管理装置８は、管理装置の一例であり、各ＷＤＭ伝送装置９を管理する。ネットワーク管理装置８と各ＷＤＭ伝送装置９の間では、監視制御用の通信回線を介して各種の制御情報が送受信される。
【００１８】
ネットワーク管理装置８は、例えば各ＷＤＭ伝送装置９に波長λの光パスＰを設定する。光パスＰは、一例として、ノードＡのＷＤＭ伝送装置９を始点とし、ノードＣのＷＤＭ伝送装置９を終点とするように設定される。この設定に従い、ノードＡのＷＤＭ伝送装置９は波長λの光信号を挿入し、ノードＣのＷＤＭ伝送装置９は波長λの光信号を分岐する。ノードＡ〜Ｃの間の各光ファイバにおいて、波長λの光信号は他の波長の光信号と波長多重された波長多重光信号として伝送される。
【００１９】
図２は、ＷＤＭ伝送装置９の一例を示す構成図である。ＷＤＭ伝送装置９は、制御ユニット１、複数のアンプユニット２０、複数のスイッチユニット２１、及び複数のトランスポンダユニット２２を有する。各種のユニット１，２０〜２２は、例えば電子部品や光学部品が実装された電子回路基板であり、ＷＤＭ伝送装置９の筐体の前面のスロットに挿入され、筐体の背面に設けられた配線基板と電気コネクタにより接続される。
【００２０】
アンプユニット２０、スイッチユニット２１、及びトランスポンダユニット２２は、伝送ユニットの一例であり、互いに光ファイバを介して接続され、光ファイバを介し光信号を伝送する。アンプユニット２０は、方路＃１，＃２ごとに設けられ、ＷＤＭ伝送装置９に入出力される波長多重光信号を増幅する。
【００２１】
スイッチユニット２１は波長単位で光信号の装置内の経路を切り替える。スイッチユニット２１は方路＃１，＃２ごとに多段構成されている。多段構成されたスイッチユニット２１は、アンプユニット２０と他方路＃１，＃２のスイッチユニット２１の間に接続されている。多段構成されたスイッチユニット２１のうち、最下段のスイッチユニット２１は、複数のトランスポンダユニット２２に接続されている。
【００２２】
また、多段構成されたスイッチユニット２１のうち、最上段のスイッチユニット２１は、他方路＃１，＃２のスイッチユニット２１及びトランスポンダユニット２２から入力された各光信号を波長多重してアンプユニット２０に出力する。また、最上段のスイッチユニット２１は、アンプユニット２０から入力された波長多重光信号を他方路＃１，＃２のスイッチユニット２１及びトランスポンダユニット２２に向けてパワー分岐する。
【００２３】
トランスポンダユニット２２は、ＳＤＨ（Synchronous Digital Hierarchy）／ＳＯＮＥＴ（Synchronous Optical Network）フレームやイーサネット（登録商標、以下同様）フレームなどのクライアント信号を所定の波長の光信号として伝送する。トランスポンダユニット２２は、他装置から入力されたクライアント信号を光信号に変換して最下段のスイッチユニット２１に出力する。これにより、ＷＤＭ伝送装置９に光信号が挿入される。なお、トランスポンダユニット２２からスイッチユニット２１に向かう方向を「挿入方向」と表記する。
【００２４】
また、トランスポンダユニット２２は、最下段のスイッチユニット２１から入力された光信号をクライアント信号に変換して他装置に出力する。これにより、ＷＤＭ伝送装置９から光信号が分岐される。なお、スイッチユニット２１からトランスポンダユニット２２に向かう方向を「分岐方向」と表記する。
【００２５】
制御ユニット１は、所定の制御インターフェース（制御ＩＦ）を介してアンプユニット２０、スイッチユニット２１、及びトランスポンダユニット２２の監視制御を行う。制御ユニット１とアンプユニット２０、スイッチユニット２１、及びトランスポンダユニット２２の間では、各種の制御信号が送受信される。
【００２６】
制御ユニット１は、例えばネットワーク管理装置８に従いアンプユニット２０、スイッチユニット２１、及びトランスポンダユニット２２に光パスを設定する。また、制御ユニット１は、アンプユニット２０、スイッチユニット２１、及びトランスポンダユニット２２を制御することにより、光パスごとにアンプユニット２０、スイッチユニット２１、及びトランスポンダユニット２２の間の光ファイバの接続の順序を特定し、その結果に応じて誤接続を検出する。以下に各ユニット１，２０〜２２の構成を説明する。
【００２７】
図３は、アンプユニット２０の一例を示す構成図である。アンプユニット２０は、制御ＩＦ部２００と、光カプラ２０１と、検出器２０２，２０５と、送信器２０４と、光アンプ２０３，２０６とを有する。
【００２８】
アンプユニット２０は、他装置及びスイッチユニット２１と接続されている。他装置からスイッチユニット２１に向かう方向には、光カプラ２０１、検出器２０２、及び光アンプ２０３が、この順で接続されている。一方、スイッチユニット２１から他装置に向かう方向には、検出器２０５及び光アンプ２０６が、この順で接続されている。
【００２９】
光アンプ２０３，２０６は、例えばエルビウムドープファイバにより波長多重光信号を増幅する。光アンプ２０３は、他装置から入力されてスイッチユニット２１に出力される波長多重光信号を増幅し、光アンプ２０６は、スイッチユニット２１から入力されて他装置に出力される波長多重光信号を増幅する。
【００３０】
送信器２０４は、生成部の一例であり、光信号を生成する。送信器２０４としては、例えば波長可変のレーザダイオードが挙げられる。送信器２０４は、光ファイバの接続を確認するとき、光信号を生成して光カプラ２０１に出力する。なお、以降の説明において、送信器２０４から出力される光信号を「試験光」と表記する。
【００３１】
光カプラ２０１は、送信器２０４からの試験光と他装置からの波長多重光信号を合波して検出器２０２に導く。このため、試験光は、波長多重光信号に波長多重された状態でＷＤＭ伝送装置９内を伝送される。
【００３２】
検出器２０２，２０３は、例えばＰＤ（Photo Diode）を含み、所定パタンでレベル変動する試験光を検出する。検出器２０２は、光アンプ２０３に入力される試験光を検出し、検出器２０５は、光アンプ２０６に入力される試験光を検出する。
【００３３】
制御ＩＦ部２００は制御ユニット１と接続されている。制御ＩＦ部２００は、制御ユニット１の指示に従い検出器２０２，２０５、送信器２０４、及び光アンプ２０３，２０６を制御する。制御ＩＦ部２００は、送信器２０４に対し試験光の波長を制御し、検出器２０２，２０５から試験光の検出結果を取得する。取得された検出結果は、制御ユニット１に通知される。
【００３４】
また、制御ＩＦ部２００は、光アンプ２０３，２０６に対し試験光の波長に対応するゲインを所定パタンで制御する。これにより、制御ＩＦ部２００は、試験光のレベルを所定パタンで強度変調させる。光アンプ２０３，２０６は、試験光を変調する変調部として機能し、検出器２０２，２０３は、その試験光を検出する検出部として機能する。
【００３５】
図４は、スイッチユニット２１の一例を示す構成図である。スイッチユニット２１は、制御ＩＦ部２１０と、検出器２１１，２１５と、光スプリッタ２１２，２１７，２１４と、光アンプ２１３，２１８と、波長選択スイッチ（WSS: Wavelength Selective Switch）２１６と、ＯＣＭ（Optical Channel Monitor）２１９を有する。
【００３６】
スイッチユニット２１は、アンプユニット２０、トランスポンダユニット２２、他のスイッチユニット２１と接続されている。図４中の方向Ｒａには、検出器２１１、光スプリッタ２１２、光アンプ２１３、及び光スプリッタ２１４が、この順で接続されている。一方、図４中の方向Ｒｂには、複数の検出器２１５、ＷＳＳ２１６、光スプリッタ２１７、及び光アンプ２１８が、この順で接続されている。なお、多段接続されたスイッチユニット２１のうち、最上段のスイッチユニット２１において、検出器２１１及び光アンプ２１８はアンプユニット２０に接続される。
【００３７】
検出器２１１，２１５は、例えばＰＤを含み、所定パタンでレベル変動する試験光を検出する。検出器２１１は、光スプリッタ２１４に出力される試験光のレベルを検出する。検出器２１５は、ＷＳＳ２１６の入力ポートごとに設けられている。
【００３８】
光スプリッタ２１２は、波長多重光信号を分波してＯＣＭ２１９及び光アンプ２１３に導く。ＯＣＭ２１９は、波長多重光信号から試験光を抽出し、試験光のレベルを検出して、そのレベルの変動パタンが所定のパタンに一致するか否かを判定する。
【００３９】
光アンプ２１３，２１８は、例えばエルビウムドープファイバにより波長多重光信号を増幅する。光アンプ２１３により増幅された波長多重光信号は、光スプリッタ２１４によりパワー分岐される。パワー分岐された波長多重光信号は、光ファイバを介し他の複数のスイッチユニット２１に入力される。
【００４０】
ＷＳＳ２１６には、他の複数のスイッチユニット２１から複数の波長多重光信号または光信号が入力される。ＷＳＳ２１６は、内部に可変光減衰器（VOA: Variable Optical Amplifier）を含み、波長単位で光信号の透過または不透過を制御する。ＷＳＳ２１６は、選択された各波長の光信号を合波して出力する。光スプリッタ２１７は、ＷＳＳ２１６からの波長多重光信号を分波してＯＣＭ２１９及び光アンプ２１８に導く。
【００４１】
制御ＩＦ部２１０は制御ユニット１と接続されている。制御ＩＦ部２１０は、制御ユニット１の指示に従い検出器２１１，２１５、ＯＣＭ２１９、ＷＳＳ２１６、及び光アンプ２１３，２１８を制御する。制御ＩＦ部２１０は、検出器２１１，２１５またはＯＣＭ２１９から試験光の検出結果を取得する。取得された検出結果は、制御ユニット１に通知される。
【００４２】
また、制御ＩＦ部２１０は、光アンプ２１３，２１８に対し試験光の波長に対応するゲインを所定パタンで制御する。これにより、制御ＩＦ部２１０は、試験光のレベルを所定パタンで変動させる。光アンプ２１３，２１８は、試験光を変調する変調部として機能し、検出器２１１，２１５またはＯＣＭ２１９は、その試験光を検出する検出部として機能する。
【００４３】
また、制御ＩＦ部２１０は、ＷＳＳ２１６に対し透過対象の光信号の波長を設定する。ＷＳＳ２１６にはＶＯＡが設けられているため、制御ＩＦ部２１０は、光アンプ２１８に代えてＷＳＳ２１６のＶＯＡの減衰率を制御することにより試験光のレベルを所定パタンで変動させてもよい。ＷＳＳ２１６は、試験光を変調する変調部として機能する。
【００４４】
図５は、トランスポンダユニット２２の一例を示す構成図である。トランスポンダユニット２２は、制御ＩＦ部２２０、複数の光送受信器２２１，２２３、信号処理回路２２２、検出器２２５、及びＶＯＡ２２４を有する。
【００４５】
トランスポンダユニット２２は、スイッチユニット２１及び他装置と接続されている。スイッチユニット２１から他装置に向かう方向は分岐方向であり、他装置からスイッチユニット２１に向かう方向は挿入方向である。
【００４６】
複数の光送受信器２２１は、それぞれ、レーザダイオードやフォトディテクタを含み、クライアント信号を送受信する。各光送受信器２２１は、クライアント信号を電気信号に変換して信号処理回路２２２に出力する。また、各光送受信器２２１は、生成部の他例であり、試験光を生成して信号処理回路に出力する。
【００４７】
また、各光送受信器２２１は、信号処理回路２２２から入力された電気信号を光信号に変換し、クライアント信号として他装置に送信する。光送受信器２２１の送信回路には、送信レベルを調整する回路が設けられている。このため、光送受信器２２１は、試験光を強度変調することができる。信号処理回路２２２は、例えばＦＰＧＡ（Field Programmable Gate Array）により構成され、所定の信号処理を実行する。
【００４８】
検出器２２５は、例えばＰＤを含み、分岐方向において信号処理回路２２２に入力され、所定パタンでレベル変動する試験光を検出する。光送受信器２２３は、分岐方向において光信号を電気信号に変換して信号処理回路２２２に出力する。
【００４９】
また、挿入方向において、光送受信器２２３は、信号処理回路２２２から入力された電気信号を光信号に変換する。ＶＯＡ２２４は、光送受信器２２１から入力された光信号を減衰させる。
【００５０】
制御ＩＦ部２２０は制御ユニット１と接続されている。制御ＩＦ部２２０は、制御ユニット１の指示に従い検出器２２５、複数の光送受信器２２１，２２３、及びＶＯＡ２２４を制御する。制御ＩＦ部２２０は、光送受信器２２１に対し試験光を生成させ、検出器２２５から試験光の検出結果を取得する。取得された検出結果は、制御ユニット１に通知される。
【００５１】
また、制御ＩＦ部２２０は、ＶＯＡ２２４に対し試験光の波長に対応する減衰率を所定パタンで制御する。これにより、制御ＩＦ部２２０は、試験光のレベルを所定パタンで変動させる。ＶＯＡ２２４は、試験光を変調する変調部として機能し、検出器２２５は、その試験光を検出する検出部として機能する。
【００５２】
また、制御ＩＦ部２２０は、光送受信器２２３に対し、信号処理回路２２２に出力される試験光のレベルを所定パタンで制御する。これにより、制御ＩＦ部２２０は、試験光のレベルを所定パタンで変動させる。光送受信器２２３は、試験光を変調する変調部として機能する。
【００５３】
図６は、制御ユニット１の一例を示す構成図である。制御ユニット１は、ＣＰＵ（Central Processing Unit）１０、ＲＯＭ（Read Only Memory）１１、ＲＡＭ（Random Access Memory）１２、不揮発性メモリ１３、通信ポート１４、及び制御ＩＦ部１５を有する。ＣＰＵ１０は、互いに信号の入出力ができるように、ＲＯＭ１１、ＲＡＭ１２、不揮発性メモリ１３、通信ポート１４、及び制御ＩＦ部１５と、バス１９を介して接続されている。
【００５４】
ＲＯＭ１１は、ＣＰＵ１０を駆動するプログラムが格納されている。ＲＡＭ１２は、ＣＰＵ１０のワーキングメモリとして機能する。通信ポート１４は、例えばＬＡＮ（Local Area Network）カードであり、ネットワーク管理装置８との間の通信を処理する。また、制御ＩＦ部１５は、アンプユニット２０、スイッチユニット２１、及びトランスポンダユニット２２との間の通信を処理する。
【００５５】
ＣＰＵ１０は、コンピュータの一例であり、ＲＯＭ１１からプログラムを読み込むと、機能として、管理部１００、パス設定部１０１、変調制御部１０２、ユニット監視部１０３、接続順序特定部１０４、及び通知部１０５が形成される。不揮発性メモリ１３としては、例えばフラッシュメモリが挙げられる。不揮発性メモリ１３には、パス管理テーブル１３０及び監視テーブル１３１が記憶されている。
【００５６】
管理部１００は制御ユニット１の動作を制御する。管理部１００は、パス設定部１０１、変調制御部１０２、接続順序特定部１０４、及び通知部１０５に動作を指示する。
【００５７】
パス設定部１０１は、通信ポート１４を介しネットワーク管理装置８と通信し、ネットワーク管理装置８の指示に従いＷＤＭ伝送装置９内の光パスを設定する。ＷＤＭ伝送装置９内の光パスは、アンプユニット２０、スイッチユニット２１、及びトランスポンダユニット２２を経由する波長ごとの光信号の経路である。パス設定部１０１は、設定した光パスの情報をパス管理テーブル１３０に登録して管理する。
【００５８】
図７は、パス管理テーブル１３０の一例を示す図である。パス管理テーブル１３０は、光パスを識別するパス番号とともに、波長ごとにその波長の光信号が経由するユニット２０〜２２のユニット番号＃１〜＃１４の順序（１〜６）が登録されている。ユニット番号＃１〜＃１４は、各アンプユニット２０、各スイッチユニット２１、及び各トランスポンダユニット２２を識別するための番号である。以下に、パス番号「１」の波長λａの光パスを例に挙げて述べる。
【００５９】
図８は、光ファイバの接続及び光パスの一例を示す図である。本例において、アンプユニット２０にはユニット番号＃１，＃４が割り当てられ、スイッチユニット２１にはユニット番号＃２，＃３，＃５〜＃１０が割り当てられ、トランスポンダユニット２２にはユニット番号＃１１〜＃１４が割り当てられている。
【００６０】
図８において、点線は光パスを示し、実線の矢印は光ファイバの接続及び光信号の伝送方向を示す。なお、本例において光ファイバの接続に誤りはないものと仮定する。また、符号Ｓは、試験光の生成部であり、より具体的には送信器２０４を示す。符号Ｍは、試験光の変調部であり、より具体的には光アンプ２０３，２０６，２１３，２１８、ＷＳＳ２１６、光送受信器２２３、及びＶＯＡ２２４を示す。符号Ｄは、試験光の検出部を示し、より具体的には検出器２０２，２０５，２１１，２１５，２２５を示す。
【００６１】
波長λａの光パスは、ユニット番号＃１のアンプユニット２０、ユニット番号＃２，＃５，＃８，＃１０の各スイッチユニット２１、及びユニット番号＃１４のトランスポンダユニット２２を、この順に経由する。パス管理テーブル１３０の各ユニット番号の欄には、その経由の順序が登録されている。なお、光パスが経由しないユニット２０〜２２のユニット番号の欄は「−」（該当なし）を示す。
【００６２】
次に、波長λａの光パスについて、アンプユニット２０、スイッチユニット２１、及びトランスポンダユニット２２の間の光ファイバの接続順序の確認方法について述べる。
【００６３】
光ファイバの接続の順序を確認する場合、光パスの始点ユニットであるアンプユニット（＃１（＝ユニット番号））２０において、送信器２０４（生成部Ｓ）は試験光を生成して出力する。なお、アンプユニット２０は第３伝送ユニットの一例である。
【００６４】
アンプユニット（＃１）２０の光アンプ２０３（変調部Ｍ）は所定パタンで試験光を変調する。より具体的には、光アンプ２０３は、試験光を強度変調することにより周期的にレベルを変動させる。この試験光は、光ファイバによりアンプユニット２０と接続された他のスイッチユニット２１、及びトランスポンダユニット２２において、検出器２１１，２１５，２２５及びＯＣＭ２１９（検出部Ｄ）により検出される。
【００６５】
図９は、試験光のパタンの一例を示す図である。アンプユニット（＃１）２０の光アンプ２０３は、所定の周期Ｔで試験光のレベルを幅ΔＬで増減させる。この幅ΔＬは、例えば、他の光信号に影響を与えない範囲内で決定される。なお、例えばＷＤＭ伝送装置９の運用前において、他の光信号が伝送されていない場合、幅ΔＬは、試験光のレベルの発光状態と消光状態の間の差分程度まで大きくしてもよい。
【００６６】
この試験光のパタンは、光パスの経路上のスイッチユニット（＃２，＃５，＃８，＃１０）２１において、検出器２１１、検出器２１５、またはＯＣＭ２１９により検出される。また、試験光のパタンは、トランスポンダユニット（＃１４）２２において検出器２２５により検出される。これにより、アンプユニット（＃１）２０が、光ファイバによりスイッチユニット（＃２，＃５，＃８，＃１０）２１及びトランスポンダユニット（＃１４）２２に接続されていることが確認される。
【００６７】
しかし、光ファイバの接続順序がユニット２０〜２２の間で入れ替わっている場合、その接続誤りを検出することはできない。例えば、スイッチユニット（＃８）２１とスイッチユニット（＃１０）２１の接続順序が入れ替わっている場合でも、スイッチユニット（＃８）２１とスイッチユニット（＃１０）２１では、接続順序が正常である場合と同様に試験光のパタンが検出されるため、接続順序の異常は検出されない。
【００６８】
そこで、制御ユニット１は、変調部Ｍが試験光を変調したユニット２０〜２２（以下、「変調ユニット」と表記）を順次に切り替えて、検出部Ｄがその変調された試験光を検出したユニット２０〜２２（以下、「検出ユニット」と表記）から光ファイバの接続順序を特定する。なお、変調ユニットは第１伝送ユニットに対応し、検出ユニットは第２伝送ユニットに対応する。
【００６９】
制御ユニット１は、アンプユニット（＃１）２０による試験光の変調を停止し、その後、検出ユニットであるスイッチユニット（＃２，＃５，＃８，＃１０）２１及びトランスポンダユニット（＃１４）２２に順次に試験光を変調させる。
【００７０】
図１０〜図１２は、それぞれ、変調ユニットの切り替えたときの試験光のパタンの一例を示す図である。
【００７１】
図１０には、スイッチユニット（＃２）２１が変調ユニットである場合の各ユニット２０〜２２の試験光の波形が示されている。この場合、スイッチユニット（＃２）２１において、光アンプ２１３、光アンプ２１８、またはＷＳＳ２１６が試験光を変調する。これにより、所定パタンの試験光が、スイッチユニット（＃２）２１の後段に接続されているスイッチユニット（＃５，＃８，＃１０）２１及びトランスポンダユニット（＃１４）２２に出力される。
【００７２】
したがって、スイッチユニット（＃５，＃８，＃１０）２１では、検出器２１１、検出器２１５、またはＯＣＭ２１９により所定パタンの試験光が検出され、トランスポンダユニット（＃１４）２２では、検出器２５５により所定パタンの試験光が検出される。また、アンプユニット（＃１）２０では所定パタンの試験光は検出されない。このため、スイッチユニット（＃２）２１が変調ユニットである場合、スイッチユニット（＃５，＃８，＃１０）２１及びトランスポンダユニット（＃１４）２２が検出ユニットとなる。
【００７３】
また、図１０には、スイッチユニット（＃５）２１が変調ユニットである場合の各ユニット２０〜２２の試験光の波形が示されている。この場合、スイッチユニット（＃５）２１において、光アンプ２１３、光アンプ２１８、またはＷＳＳ２１６が試験光を変調する。これにより、所定パタンの試験光が、スイッチユニット（＃５）２１の後段に接続されているスイッチユニット（＃８，＃１０）２１及びトランスポンダユニット（＃１４）２２に出力される。
【００７４】
したがって、スイッチユニット（＃８，＃１０）２１では、検出器２１１、検出器２１５、またはＯＣＭ２１９により所定パタンの試験光が検出され、トランスポンダユニット（＃１４）２２では、検出器２５５により所定パタンの試験光が検出される。また、アンプユニット（＃１）２０とスイッチユニット（＃２）２１では所定パタンの試験光は検出されない。このため、スイッチユニット（＃５）２１が変調ユニットである場合、スイッチユニット（＃８，＃１０）２１及びトランスポンダユニット（＃１４）２２が検出ユニットとなる。
【００７５】
図１１には、スイッチユニット（＃８）２１が変調ユニットである場合の各ユニット２０〜２２の試験光の波形が示されている。この場合、スイッチユニット（＃８）２１において、光アンプ２１３、光アンプ２１８、またはＷＳＳ２１６が試験光を変調する。これにより、所定パタンの試験光が、スイッチユニット（＃８）２１の後段に接続されているスイッチユニット（＃１０）２１及びトランスポンダユニット（＃１４）２２に出力される。
【００７６】
したがって、スイッチユニット（＃１０）２１では、検出器２１１、検出器２１５、またはＯＣＭ２１９により所定パタンの試験光が検出され、トランスポンダユニット（＃１４）２２では、検出器２５５により所定パタンの試験光が検出される。また、アンプユニット（＃１）２０とスイッチユニット（＃２，＃５）２１では所定パタンの試験光は検出されない。このため、スイッチユニット（＃８）２１が変調ユニットである場合、スイッチユニット（＃１０）２１及びトランスポンダユニット（＃１４）２２が検出ユニットとなる。
【００７７】
また、図１１には、スイッチユニット（＃１０）２１が変調ユニットである場合の各ユニット２０〜２２の試験光の波形が示されている。この場合、スイッチユニット（＃１０）２１において、光アンプ２１３、光アンプ２１８、またはＷＳＳ２１６が試験光を変調する。これにより、所定パタンの試験光が、スイッチユニット（＃１０）２１の後段に接続されているトランスポンダユニット（＃１４）２２に出力される。
【００７８】
したがって、トランスポンダユニット（＃１４）２２では、検出器２５５により所定パタンの試験光が検出される。また、アンプユニット（＃１）２０とスイッチユニット（＃２，＃５，＃８）２１では所定パタンの試験光は検出されない。このため、スイッチユニット（＃１０）２１が変調ユニットである場合、トランスポンダユニット（＃１４）２２が検出ユニットとなる。
【００７９】
図１２には、トランスポンダユニット（＃１４）２２が変調ユニットである場合の各ユニット２０〜２２の試験光の波形が示されている。この場合、トランスポンダユニット（＃１４）２２において、光送受信器２２３が試験光を変調する。しかし、トランスポンダユニット（＃１４）２２の後段には、ユニット２０〜２２が接続されていないため、トランスポンダユニット（＃１４）２２が変調ユニットである場合、検出ユニットは存在しない。
【００８０】
このように、制御ユニット１は、変調ユニットと検出ユニットの対応関係からユニット２０〜２２間の光ファイバの接続順序を特定する。ある変調ユニットに対応する検出ユニットは、その変調ユニットの後段に接続されているユニット２０〜２２である。このため、各変調ユニットに対応する検出ユニット数の順位により光ファイバの接続順序が特定される。
【００８１】
本例の場合、アンプユニット（＃１）２０が変調ユニットである場合の検出ユニット数は５であり（図９参照）、スイッチユニット（＃２）２１が変調ユニットである場合の検出ユニット数は４である（図１０参照）。また、スイッチユニット（＃５）２１が変調ユニットである場合の検出ユニット数は３であり（図１０参照）、スイッチユニット（＃８）２１が変調ユニットである場合の検出ユニット数は２である（図１１参照）。
【００８２】
また、スイッチユニット（＃１０）２１が変調ユニットである場合の検出ユニット数は１であり（図１１参照）、トランスポンダユニット（＃１４）２２が変調ユニットである場合の検出ユニット数は０である（図１２参照）。このため、変調ユニットを検出ユニット数の多い順に並べることにより、光ファイバの接続順序は、アンプユニット（＃１）２０、スイッチユニット（＃２）２１、スイッチユニット（＃５）２１、スイッチユニット（＃８）２１、スイッチユニット（＃１０）２１、トランスポンダユニット（＃１４）２２の順に特定される。
【００８３】
また、各変調ユニットの変調部Ｍは、試験光のレベルが変動するように試験光を変調する。このため、検出部Ｄは、変調された試験光を容易に検出できる。
【００８４】
再び図６を参照すると、変調制御部１０２は、各ユニット２０〜２２の変調部Ｍに順次に試験光を変調させる。すなわち、変調制御部１０２は変調ユニットを順次に切り替える。また、ユニット監視部１０３は、各ユニット２０の検出部Ｄから、変調された試験光の検出結果を取得して、変調制御部１０２に通知する。
【００８５】
より具体的には、変調制御部１０２は、アンプユニット２０の送信器２０４に試験光を生成させ、アンプユニット２０の光アンプ２０３に試験光を変調させる。変調制御部１０２は、複数のユニット２０〜２２から検出ユニットを選択し、アンプユニット２０の光アンプ２０３に試験光の変調を停止させる。図８の例の場合、変調制御部１０２は、スイッチユニット（＃２，＃５，＃８，＃１０）２１及びトランスポンダユニット（＃１４）２２を選択する。そして、変調制御部１０２は、その選択した各検出ユニットの変調部Ｍに順次に試験光を変調させる。
【００８６】
このため、変調制御部１０２は、始点ユニットであるアンプユニット（＃１）２０と接続されていないユニット２０〜２２に対する変調の指示を省くことができるため、光ファイバの接続順序の特定の所要時間が短縮される。
【００８７】
変調制御部１０２は、変調ユニットと検出ユニットの対応関係を監視テーブル１３１に記録する。接続順序特定部は、監視テーブル１３１の記録結果に基づき、ユニット２０〜２２の間の光ファイバの接続順序を特定する。
【００８８】
図１３は、監視テーブル１３１の一例を示す図である。監視テーブル１３１には「パス順序」及び「変調ユニット」が登録されている。
【００８９】
「パス順序」は、光ファイバの接続の確認対称となる光パスの順序であり、各ユニット番号の欄の番号（１〜６）により示されている。「パス順序」は、光ファイバの接続順序の確認対象の光パスが決定されたとき、管理部１００によりパス管理テーブル１３０に基づいて登録される。
【００９０】
本例では、図７のパス番号「１」の光パスの「パス順序」が示されている。すなわち、本例の「パス順序」は図８に示された光パスの順序を示す。
【００９１】
「変調ユニット」には、検出ユニットとの対応関係の確認結果が示されている。「変調ユニット」として登録されたユニット２０〜２２の変調部Ｍに試験光を変調させた場合の検出ユニットの「ユニット番号」欄には丸印（「○」）が登録されている。一方、試験光が検出されなかったユニット２０〜２２（以下、「非検出ユニット」と表記）の「ユニット番号」欄にはバツ印（「×」）が登録されている。
【００９２】
また、試験光の検出対象外、つまりユニット監視部１０３の監視対象外のユニット２０〜２２の「ユニット番号」欄にはバツ印（「−」）が登録されている。本例において、「変調ユニット」は、アンプユニット（＃１）２０、スイッチユニット（＃２，＃５，＃８，＃１０）２１、及びトランスポンダユニット（＃１４）２２であるが、単に「ユニット＃１」、「ユニット＃２」、「ユニット＃５」、「ユニット＃８」、「ユニット＃１０」、及び「ユニット＃１４」として表記されている。以下に監視テーブル１３１に対する「変調ユニット」及び「検出ユニット」の対応関係の登録手順の一例を述べる。
【００９３】
変調制御部１０２は、最初に「パス順序」が「１」であるユニット＃１（つまり始点ユニット）を「変調ユニット」として選択し、その変調部Ｍに試験光を変調させる。変調制御部１０２は、ユニット監視部１０３から通知された各ユニット２０〜２２の検出結果から検出ユニットを判定して監視テーブル１３１に登録する。このとき、光ファイバの接続順序は正常であるため、ユニット＃１の後段に接続されたユニット＃２、＃５、＃８＃１０、＃１４が検出ユニットとして登録される。
【００９４】
変調制御部１０２は、始点ユニットを変調ユニットとした場合の検出ユニットであるユニット＃２、＃５、＃８、＃１０、＃１４を順次に「変調ユニット」として選択する。そして、変調制御部１０２は、以下に述べるように、ユニット監視部１０３から通知された各ユニット２０〜２２の検出結果から、選択した「変調ユニット」に対応する検出ユニットを判定して監視テーブル１３１に登録する。
【００９５】
より具体的には、変調制御部１０２は、ユニット＃２を「変調ユニット」として選択し、その変調部Ｍに試験光を変調させる。このとき、ユニット＃２より後段に接続されたユニット＃５、＃８、＃１０、＃１４が検出ユニットとして登録される。
【００９６】
次に、変調制御部１０２は、ユニット＃５を「変調ユニット」として選択し、その変調部Ｍに試験光を変調させる。このとき、ユニット＃５より後段に接続されたユニット＃８、＃１０、＃１４が検出ユニットとして登録される。
【００９７】
次に、変調制御部１０２は、ユニット＃８を「変調ユニット」として選択し、その変調部Ｍに試験光を変調させる。このとき、ユニット＃８より後段に接続されたユニット＃１０、＃１４が検出ユニットとして登録される。
【００９８】
次に、変調制御部１０２は、ユニット＃１０を「変調ユニット」として選択し、その変調部Ｍに試験光を変調させる。このとき、ユニット＃１０より後段に接続されたユニット＃１４が検出ユニットとして登録される。
【００９９】
次に、変調制御部１０２は、ユニット＃１０を「変調ユニット」として選択し、その変調部Ｍに試験光を変調させる。このとき、ユニット＃１４は最後段に接続されているため、検出ユニットは存在せず、検出ユニットの登録は行われない。
【０１００】
次に、変調制御部１０２は、監視テーブル１３１における「変調ユニット」を検出ユニット数の大きい順（つまり、「○」印の数の順）に並べる。本例の場合、ユニット＃２、＃５、＃８、＃１０、＃１４の順序で「変調ユニット」を選択したため、並び替え後も順序は変わらないが、他の順序で変調ユニットを選択した場合、「変調ユニット」の順序がユニット＃２、＃５、＃８、＃１０、＃１４の順序に並び替えられる。このようにして、変調制御部１０２は、監視テーブル１３１に変調ユニット及び検出ユニットの対応関係を監視テーブル１３１に記録する。
【０１０１】
次に、接続順序特定部１０４は、監視テーブル１３１における「変調ユニット」の順序からユニット２０〜２２間の光ファイバの接続順序を特定する。「変調ユニット」の順序は、上述したように各変調ユニットの後段に接続された光パス上のユニット２０〜２２の数の順序を示すため、光ファイバの接続順序に該当する。このため、接続順序特定部１０４は、監視テーブル１３１の記録結果に基づきユニット２０〜２２間の光ファイバの接続順序を特定することができる。
【０１０２】
このように、制御ユニット１は、各変調ユニットに対応する検出ユニット数の順位から光ファイバの接続の順序を特定する。したがって、制御ユニット１は、複雑な演算処理を行うことなく、容易に光ファイバの接続の順序を特定することができる。
【０１０３】
また、光ファイバの接続順序が誤っている場合も光ファイバの接続順序の特定は上記と同様に行われる。
【０１０４】
図１４は、光ファイバの誤接続及び光パスの一例を示す図である。図１４において、点線は光パスを示し、実線の矢印は光ファイバの接続及び光信号の伝送方向を示す。
【０１０５】
図８と比較すると理解されるように、本例では、光パスにおけるユニット（＃５）２１以降の光ファイバの接続順序が誤っている。より具体的には、ユニット（＃５）２１は、正常な接続先のユニット（＃８）２１には接続されず、誤った接続先のユニット（＃１０）２１に接続されている。また、ユニット（＃１０）２１は、正常な接続先のユニット（＃１４）２１には接続されず、誤った接続先のユニット（＃８）２１に接続されている。
【０１０６】
このため、試験光は、図８の例とは異なり、ユニット（＃１）２０、ユニット（＃２）２１、ユニット（＃５）２１、ユニット（＃１０）２１、ユニット（＃８）の順に伝送される。
【０１０７】
図１５は、光ファイバが誤接続された場合の監視テーブル１３１の一例を示す図である。つまり、本例は、光ファイバが図１４に示された順序で接続された場合の監視テーブル１３１の例である。以下に監視テーブル１３１に対する「変調ユニット」及び「検出ユニット」の対応関係の登録手順の一例を述べる。
【０１０８】
変調制御部１０２は、最初に「パス順序」が「１」であるユニット＃１（つまり始点ユニット）を「変調ユニット」として選択し、その変調部Ｍに試験光を変調させる。変調制御部１０２は、ユニット監視部１０３から通知された各ユニット２０〜２２の検出結果から検出ユニットを判定して監視テーブル１３１に登録する。このとき、光ファイバの接続順序は誤りであるため、検出ユニットとしてユニット＃２、＃５、＃８＃１０は登録されるが、ユニット＃１４は登録されない（点線枠を参照）。
【０１０９】
変調制御部１０２は、始点ユニットを変調ユニットとした場合の検出ユニットであるユニット＃２、＃５、＃８＃１０を順次に「変調ユニット」として選択する。そして、変調制御部１０２は、以下に述べるように、ユニット監視部１０３から通知された各ユニット２０〜２２の検出結果から、選択した「変調ユニット」に対応する検出ユニットを判定して監視テーブル１３１に登録する。
【０１１０】
より具体的には、変調制御部１０２は、ユニット＃２を「変調ユニット」として選択し、その変調部Ｍに試験光を変調させる。このとき、ユニット＃２より後段に接続されたユニット＃５、＃８、＃１０が検出ユニットとして登録される。
【０１１１】
次に、変調制御部１０２は、ユニット＃５を「変調ユニット」として選択し、その変調部Ｍに試験光を変調させる。このとき、ユニット＃５より後段に接続されたユニット＃８、＃１０が検出ユニットとして登録される。
【０１１２】
次に、変調制御部１０２は、ユニット＃８を「変調ユニット」として選択し、その変調部Ｍに試験光を変調させる。このとき、ユニット＃８は光パスにおける最後段に接続されているため、検出ユニットは存在せず、検出ユニットの登録は行われない。
【０１１３】
次に、変調制御部１０２は、ユニット＃１０を「変調ユニット」として選択し、その変調部Ｍに試験光を変調させる。このとき、ユニット＃１０より後段に接続されたユニット＃８が検出ユニットとして登録される。
【０１１４】
次に、変調制御部１０２は、監視テーブル１３１における「変調ユニット」を検出ユニット数の大きい順に並べる。
【０１１５】
図１６は並び替え後の監視テーブル１３１の一例を示す図である。本例の場合、検出ユニット数の順序は、ユニット（＃１）２１、ユニット（＃２）２１、ユニット（＃５）２１、ユニット（＃１０）、ユニット（＃８）２１となる。
【０１１６】
したがって、「変調ユニット」欄内のユニット（＃１０）、ユニット（＃８）２１の順が、矢印で示されるように入れ替えられる。「変調ユニット」の順序は光ファイバの接続順序に該当するため、接続順序特定部１０４は、図１３の例と同様に、監視テーブル１３１の記録結果に基づきユニット２０〜２２間の光ファイバの接続順序を特定することができる。
【０１１７】
このように、制御ユニット１は、複数のユニット２０〜２２の変調部Ｍに順次に試験光を変調させ、変調ユニット及び検出ユニットの対応関係を監視テーブル１３１に記録し、その記録結果から光ファイバの接続順序を特定する。このとき、試験光はアンプユニット２０により生成されるため、他のスイッチユニット２１やトランスポンダユニット２２には試験光の送信器を設ける必要がなく、装置コストの増加が抑制される。したがって、本例のＷＤＭ伝送装置９によると、光ファイバの接続順序を容易に確認することができる。
【０１１８】
再び図６を参照すると、通知部１０５は、光ファイバの接続順序に関する情報をネットワーク管理装置８に通知する。より具体的には、通知部１０５は、接続順序特定部１０４により特定された光ファイバの接続順序及び誤接続を示す警報を、ネットワーク管理装置８に通知する。なお、通知は、通信ポート１４を介して行われる。
【０１１９】
通知部１０５は、例えば、特定された光ファイバの接続の順序を、パス管理テーブル１３０が示す接続の順序（つまり「パス順序」）と比較し、光ファイバの接続の順序がその順序に一致しない場合、警報を出力する。通知部１０５は、図１３の例の場合、光ファイバの接続の順序がパス管理テーブル１３０の順序に一致するため、警報を出力しないが、図１５及び図１６の例の場合、光ファイバの接続の順序がパス管理テーブル１３０の順序に一致しないため、警報を出力する。これにより、ネットワーク管理装置８は、光ファイバの接続順序の誤りを検出することができる。
【０１２０】
また、通知部１０５は、警報の詳細な内容をネットワーク管理装置８に通知してもよい。通知部１０５は、例えば、パス管理テーブル１３０に登録された光パスの順序に基づき光ファイバの接続先の誤り及び未接続状態を検出する。通知部１０５は、接続先の誤りを「誤接続」警報として出力し、未接続状態を「未接続」警報として出力する。
【０１２１】
より具体的には、通知部１０５は、監視テーブル１３１を参照して「パス順序」と並び替え後の「変調ユニット」の順序を比較し、不一致の箇所を検出する。つまり、通知部１０５は、「パス順序」が示す各ユニット２０〜２２の接続先と「変調ユニット」の順序が示す接続先の不一致に基づき「誤接続」警報及び「未接続」警報を出力する。
【０１２２】
図１６の例の場合、ユニット（＃５）２１の接続先は、「パス順序」においてユニット（＃１０）２１であるが、「変調ユニット」の順序においてユニット（＃１０）２１である。このため、通知部１０５は、ユニット（＃５）２１の「誤接続」警報を出力する。
【０１２３】
また、ユニット（＃１０）２１の接続先は、「パス順序」においてユニット（＃１４）２２であるが、「変調ユニット」の順序においてユニット（＃８）２１である。このため、通知部１０５は、ユニット（＃１０）２１の「誤接続」警報を出力する。
【０１２４】
また、ユニット（＃８）２１の接続先は、「パス順序」においてユニット（＃１０）２１であるが、「変調ユニット」の順序には存在しない。このため、通知部１０５は、ユニット（＃８）２１の「未接続」警報を出力する。
【０１２５】
このように、通知部１０５は、「誤接続」警報及び「未接続」警報を出力することにより、ネットワーク管理装置８に光ファイバの接続順序の具体的な修正箇所を示すことができる。
【０１２６】
図１７は、制御ユニット１の動作の一例を示すフローチャートである。制御ユニット１は、ネットワーク管理装置８の指示に従いパス管理テーブル１３０から光パスを選択する（ステップＳｔ１）。次に、制御ユニット１は、光パスの順序から始点ユニットを検索する（ステップＳｔ２）。なお、上記の例の場合、始点ユニットは、光パスの先頭であるアンプユニット２０、つまりユニット（＃１）２０となる。
【０１２７】
次に、制御ユニット１は、始点ユニットの生成部Ｓに試験光の生成を指示する（ステップＳｔ３）。すなわち、制御ユニット１は、始点ユニットの生成部Ｓに試験光を生成させる。これにより、始点ユニットの生成部Ｓは試験光の生成を開始する。なお、生成部Ｓはアンプユニット２０の送信器２０４に該当する。試験光は、光パスの設定に従い各ユニット２０〜２２間の光ファイバに伝送される。
【０１２８】
次に、制御ユニット１は、始点ユニットの変調部Ｍに試験光の変調を指示する（ステップＳｔ４）。すなわち、制御ユニット１は、始点ユニットの変調部Ｍに試験光を変調させる。これにより、試験光は、図９に示されるように、一定のパタンでレベル変動する。
【０１２９】
次に、制御ユニット１は、他のユニット２０〜２２における試験光の検出結果を収集する（ステップＳｔ５）。これにより、制御ユニット１は始点ユニットに対応する検出ユニットを判定する。なお、上記の例の場合、検出ユニットはスイッチユニット（＃２）２１、スイッチユニット（＃５）２１、スイッチユニット（＃８）２１、スイッチユニット（＃１０）２１、トランスポンダユニット（＃１４）２２である。
【０１３０】
次に、制御ユニット１は、試験光の検出結果を監視テーブル１３１に記録する（ステップＳｔ６）。つまり、制御ユニット１は監視テーブル１３１に検出ユニットのユニット番号を登録する。
【０１３１】
次に、制御ユニット１は、始点ユニットの変調部Ｍに試験光の変調の停止を指示する（ステップＳｔ７）。すなわち、制御ユニット１は、始点ユニットの変調部Ｍに試験光の変調を停止させる。これにより、試験光のレベル変動が停止する。
【０１３２】
次に、制御ユニット１は、始点ユニットに対応する検出ユニットの１つを変調ユニットとして選択する（ステップＳｔ８）。なお、変調ユニットの選択の順序に限定はない。
【０１３３】
次に、制御ユニット１は、変調ユニットの変調部Ｍに試験光の変調を指示する（ステップＳｔ９）。すなわち、制御ユニット１は、変調ユニットの変調部Ｍに試験光を変調させる。
【０１３４】
次に、制御ユニット１は、他のユニット２０〜２２における試験光の検出結果を収集する（ステップＳｔ１０）。これにより、制御ユニット１は、選択中の変調ユニットに対応する検出ユニットを判定する。次に、制御ユニット１は、試験光の検出結果を監視テーブル１３１に記録する（ステップＳｔ１１）。
【０１３５】
次に、制御ユニット１は、変調ユニットの変調部Ｍに試験光の変調の停止を指示する（ステップＳｔ１２）。すなわち、制御ユニット１は、変調ユニットの変調部Ｍに試験光の変調を停止させる。
【０１３６】
次に、制御ユニット１は、始点ユニットに対応する検出ユニットのうち、未選択のユニット２０〜２２の有無を判定する（ステップＳｔ１３）。制御ユニット１は、未選択のユニット２０〜２２が有る場合（ステップＳｔ１３のＹｅｓ）、他の変調ユニットを選択する（ステップＳｔ８）。
【０１３７】
このように、制御ユニット１は、各ユニット２０〜２２の変調部Ｍに順次に試験光を変調させ、変調ユニット及び検出ユニットの対応関係を監視テーブル１３１に記録する。より具体的には、制御ユニット１は、始点ユニットの変調部Ｍに試験光を変調させた後、始点ユニットに対応する検出ユニットを選択し、選択した各ユニット２０〜２２の変調部Ｍに順次に試験光を変調させる。
【０１３８】
制御ユニット１は、未選択のユニット２０〜２２がない場合（ステップＳｔ１３のＮｏ）、監視テーブル１３１内の「変調ユニット」を検出ユニット数の大きい順に並び替える（ステップＳｔ１４）。これにより、図１６の例のように、監視テーブル１３１内の「変調ユニット」が光ファイバの接続順序に従って並び替えられる。なお、制御ユニット１は、変調ユニット」を検出ユニット数の小さい順に並び替えてもよい。
【０１３９】
次に、制御ユニット１は、監視テーブル１３１内の「変調ユニット」の並び順から光ファイバの接続順序を特定する（ステップＳｔ１５）。すなわち、制御ユニット１は、監視テーブル１３１の記録結果に基づき、光ファイバの接続の順序を特定する。より具体的には、制御ユニット１は、各変調ユニットに対応する検出ユニット数の順位から光ファイバの接続の順序を特定する。
【０１４０】
次に、制御ユニット１は、特定した光ファイバの接続順序をネットワーク管理装置８に通知する（ステップＳｔ１６）。次に、制御ユニット１は、光ファイバの接続順序をパス管理テーブル１３０に登録された光パスの順序と比較する（ステップＳｔ１７）。
【０１４１】
制御ユニット１は、光ファイバの接続順序がパス管理テーブル１３０に登録された光パスの順序に一致した場合（ステップＳｔ１８のＹｅｓ）、本動作を終了する。また、制御ユニット１は、光ファイバの接続順序がパス管理テーブル１３０に登録された光パスの順序に一致しない場合（ステップＳｔ１８のＮｏ）、警報を出力する（ステップＳｔ１９）。なお、警報としては、一例として、上記の「未接続」警報及び「誤接続」警報が出力される。このようにして、制御ユニット１は動作する。
【０１４２】
ネットワーク管理装置８は、各ＷＤＭ伝送装置９の制御ユニット１からの警報に基づき光ファイバの接続の異常を表示する。これにより、ネットワークＮＷの管理者は、光ファイバの接続順序の誤りを容易に把握することができる。以下にネットワーク管理装置８の構成を説明する。
【０１４３】
図１８は、ネットワーク管理装置８の一例を示す構成図である。ネットワーク管理装置８は、ＣＰＵ８０、ＲＯＭ８１、ＲＡＭ８２、ＨＤＤ（Hard Disk Drive）８３、通信ポート８４、入力装置８５、及び表示装置８６を有する。ＣＰＵ８０は、互いに信号の入出力ができるように、ＲＯＭ８１、ＲＡＭ８２、ＨＤＤ８３、通信ポート８４、入力装置８５、及び表示装置８６と、バス８９を介して接続されている。
【０１４４】
ＲＯＭ８１は、ＣＰＵ８０を駆動するプログラムが格納されている。ＲＡＭ８２は、ＣＰＵ８０のワーキングメモリとして機能する。通信ポート８４は、例えばＮＩＣ（Network Interface Card）であり、各ＷＤＭ伝送装置９との通信を処理する。
【０１４５】
入力装置８５は、ネットワーク管理装置８に情報を入力する装置である。入力装置８５としては、例えばキーボード、マウス、及びタッチパネルなどが挙げられる。入力装置８５は、入力された情報を、バス８９を介しＣＰＵ８０に出力する。
【０１４６】
表示装置８６は、ネットワーク管理装置８の情報を表示する装置である。表示装置８６としては、例えばディスプレイやタッチパネルなどが挙げられる。表示装置８６は、ＣＰＵ８０からバス８９を介して情報を取得して表示する。
【０１４７】
ＣＰＵ８０は、ＲＯＭ８１からプログラムを読み込むと、機能として、動作制御部８００、パス設定部８０１、接続確認処理部８０２、及び表示処理部８０３が形成される。また、ＨＤＤ８３には、ネットワーク構成情報８３０、装置構成情報８３１、及びパス設定情報８３２が記憶されている。
【０１４８】
ネットワーク構成情報８３０には、図１に示されるようなネットワークＮＷ内のＷＤＭ伝送装置９の構成が登録されている。装置構成情報８３１には、図２に示されるようなＷＤＭ伝送装置９内のユニット２０〜２２の構成が登録されている。
【０１４９】
動作制御部８００はネットワーク管理装置８の動作を制御する。動作制御部８００は、パス設定部８０１、接続確認処理部８０２、及び表示処理部８０３に動作を指示する。
【０１５０】
パス設定部８０１は、入力装置８５からの入力に従い、ネットワークＮＷ内の各ＷＤＭ伝送装置９の間の光パスＰ（図１参照）を設定する。パス設定部８０１は、ネットワーク構成情報８３０及び装置構成情報８３１に基づき光パスＰ上の各ＷＤＭ伝送装置９に波長λの光信号の挿入、通過、及び分岐の設定を行う。ＷＤＭ伝送装置９では、上述したようにパス設定部１０１が、ネットワーク管理装置８からの設定に従い各ユニット２０〜２２に対し光パスＰの波長設定を行う。パス設定情報８３２は、設定した光パスＰの内容をパス設定情報８３２としてＨＤＤ８３に記憶させる。
【０１５１】
接続確認処理部８０２は、入力装置８１から光ファイバの接続確認の要求があった場合に起動され、パス設定情報８３２に基づき各ＷＤＭ伝送装置９に対して光ファイバの接続確認処理を実行する。また、接続確認処理部８０２は、その確認結果の表示を表示処理部８０３に依頼する。
【０１５２】
表示処理部８０３は光ファイバの接続確認の結果を表示装置８６に表示する。表示処理部８０３は、光ファイバの接続順序が正常であれば、その旨を表示装置８６に表示する。また、表示処理部８０３は、光ファイバの接続順序が異常であれば、ＷＤＭ伝送装置９の制御ユニット１から出力された警報に基づき光ファイバの接続の異常を表示する。
【０１５３】
図１９は、ネットワーク管理装置８の動作の一例を示すフローチャートである。ネットワーク管理装置８は、光ファイバの接続順序の確認の要求の有無を判定する（ステップＳｔ３１）。このとき、動作制御部８００は、接続順序の確認要求を受け付ける入力装置８５からの情報に基づき接続順序の確認要求の有無を判定する。
【０１５４】
ネットワーク管理装置８は、接続順序の確認要求がない場合（ステップＳｔ３１のＮｏ）、本動作を終了する。また、ネットワーク管理装置８は、接続順序の確認要求が有る場合（ステップＳｔ３１のＹｅｓ）、確認対象の光パスＰを選択する（ステップＳｔ３２）。このとき、動作制御部８００は、接続確認処理部８０２を起動するとともに、確認要求において入力装置８５により指定された光パスＰを接続確認処理部８０２に通知する。
【０１５５】
次に、ネットワーク管理装置８は、パス設定情報８３２から光パスＰ上のＷＤＭ伝送装置９を検索する（ステップＳｔ３３）。例えば、図１に示される光パスＰの場合、ノードＡ〜Ｃの各ＷＤＭ伝送装置９が検索される。
【０１５６】
次に、ネットワーク管理装置８は、検索した各ＷＤＭ伝送装置９に光パスＰについて光ファイバの接続順序の確認を指示する（ステップＳｔ３４）。ＷＤＭ伝送装置９では、ネットワーク管理装置８からの指示に従い、制御ユニット１の変調制御部１０２、ユニット監視部１０３、接続順序特定部１０４、及び通知部１０５が起動し、上記の処理を実行する。
【０１５７】
次に、ネットワーク管理装置８は、各ＷＤＭ伝送装置９からの確認結果の通知の有無を判定する（ステップＳｔ３５）。より具体的には、接続確認処理部８０２は、各ＷＤＭ伝送装置９の通知部１０５からの通知の有無を判定する。ネットワーク管理装置８は、通知がない場合（ステップＳｔ３５のＮｏ）、再びステップＳｔ３５の処理を実行する。
【０１５８】
ネットワーク管理装置８は、各ＷＤＭ伝送装置９から通知を受けた場合（ステップＳｔ３５のＹｅｓ）、ＷＤＭ伝送装置９の１つを選択する（ステップＳｔ３６）。ネットワーク管理装置８は、選択したＷＤＭ伝送装置９からの通知から警報の有無を判定する（ステップＳｔ３７）。
【０１５９】
ネットワーク管理装置８は、警報が有る場合（ステップＳｔ３７のＹｅｓ）、警報が示す異常接続の内容を表示装置８６に表示する（ステップＳｔ３８）。より具体的には、表示処理部８０３は、「誤接続」警報及び「未接続」警報とその該当箇所を表示装置８６に表示する。
【０１６０】
また、ネットワーク管理装置８は、警報がない場合（ステップＳｔ３７のＮｏ）、正常である旨を表示装置８６に表示する（ステップＳｔ４０）。次に、ネットワーク管理装置８は、未選択のＷＤＭ伝送装置９の有無を判定する（ステップＳｔ３９）。
【０１６１】
ネットワーク管理装置８は、未選択のＷＤＭ伝送装置９が有る場合（ステップＳｔ３９のＹｅｓ）、他のＷＤＭ伝送装置９を選択し（ステップＳｔ３６）、上記のステップＳｔ３７を再び実行する。また、ネットワーク管理装置８は、未選択のＷＤＭ伝送装置９がない場合（ステップＳｔ３９のＮｏ）、本動作を終了する。このようにして、ネットワーク管理装置８は動作する。
【０１６２】
図２０は、光ファイバの接続確認画面の一例を示す図である。光ファイバの接続確認画面は、表示処理部８０３の制御により表示装置８６に表示される。
【０１６３】
光ファイバの接続確認画面には、光パスＰの全体の確認結果をノードＡ〜Ｄごとに示すネットワーク内光パス確認画面３と、警報が検出されたノードＡ〜Ｄごとにユニット２０〜２２間の光ファイバの接続の異常個所を示すユニット間接続確認画面４が含まれる。
【０１６４】
ネットワーク内光パス確認画面３には、各ノードＡ〜ＤのＷＤＭ伝送装置９を示すシンボル３０と、各ノードＡ〜ＤのＷＤＭ伝送装置９における光ファイバの接続順序の確認結果を表すシンボル３１〜３３が表示されている。各ノードＡ〜Ｄのシンボル３０には、光パスＰの順序を示す矢印が付与されている。本例の光パスＰは、ノードＡ〜Ｄの各ＷＤＭ伝送装置９を、ノードＡ，Ｂ，Ｃ，Ｄの順で経由すると仮定している。
【０１６５】
また、ネットワーク内光パス確認画面３には、光パスＰの始点ノードＡ及び終点ノードＤの各ポート番号（「ポート＃１」、「ポート＃６」参照）、及び、隣接する各ノードＡ〜Ｄ間を結ぶ光信号のチャネル番号（「ＣＨ３」、「ＣＨ５０」参照）が表示されている。なお、ポート番号及びチャネル番号は例えばパス設定情報８３２から検索される。
【０１６６】
また、本例では、ノードＡ，Ｂの各ＷＤＭ伝送装置９の光ファイバの接続順序は正常であり、ノードＣ，Ｄの各ＷＤＭ伝送装置９の光ファイバの接続順序は異常であると仮定する。より具体的には、ノードＣのＷＤＭ伝送装置９からは「未接続」警報が出力され、ノードＤのＷＤＭ伝送装置９からは「誤接続」警報が出力されたとする。
【０１６７】
この場合、ノードＡ，Ｂのシンボル３０には正常を示すシンボル３１が付与され、ノードＣのシンボル３０には「未接続」警報を示すシンボル３２が付与され、ノードＤのシンボル３０には「誤接続」警報を示すシンボル３３が付与される。入力装置８５により「未接続」警報のシンボル３２または「誤接続」警報のシンボル３３がクリックされると、その警報を出力したＷＤＭ伝送装置９のユニット間接続確認画面４が表示される。
【０１６８】
ユニット間接続確認画面４には、ＷＤＭ伝送装置９のユニット２０〜２２の実装状態とともに、ユニット２０〜２２間の「未接続」警報の該当箇所（点線の矢印）及び「誤接続」の該当箇所（実線の矢印）が表示される。実装状態の表示において、「ＡＭＰ」はアンプユニット２０を示し、「ＳＷ」はスイッチユニット２１を示し、「ＴＰ」はトランスポンダユニット２２を示す。また、各ユニット２０〜２２にはユニット番号（＃１〜＃８）が付与されている。
【０１６９】
本例の場合、ノードＣのユニット間接続確認画面４は、スイッチユニット（＃２）２１からスイッチユニット（＃３）２１への接続に関して「未接続」警報が検出されていることを示す。このため、ネットワーク管理装置８のオペレータは、スイッチユニット（＃２）２１をスイッチユニット（＃３）２１に接続する必要があることを知ることができる。
【０１７０】
また、ノードＤのユニット間接続確認画面４は、スイッチユニット（＃２）２１からトランスポンダユニット（＃６）２２への接続に関して「未接続」警報が検出され、スイッチユニット（＃２）２１からトランスポンダユニット（＃７）２２への接続に関して「誤接続」警報が検出されていることを示す。このため、ネットワーク管理装置８のオペレータは、スイッチユニット（＃２）２１の接続先をトランスポンダユニット（＃７）２２からトランスポンダユニット（＃６）２２に変更する必要があることを知ることができる。
【０１７１】
このように、ネットワーク管理装置８は、各ＷＤＭ伝送装置９から出力された警報に基づき光ファイバの接続の異常を詳細に表示するため、光ファイバの接続を容易に修正することが可能となる。
【０１７２】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【０１７３】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【０１７４】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１７５】
上述した実施形態は本発明の好適な実施の例である。但し、これに限定されるものではなく、本発明の要旨を逸脱しない範囲内において種々変形実施可能である。
【０１７６】
なお、以上の説明に関して更に以下の付記を開示する。
（付記１）  光ファイバにより互いに接続され、前記光ファイバを介し光信号を伝送する複数の伝送ユニットと、
前記複数の伝送ユニットをそれぞれ制御する制御ユニットとを有し、
前記複数の伝送ユニットは、それぞれ、前記光信号を検出する検出部と、前記光信号を変調する変調部とを有し、
前記制御ユニットは、
前記複数の伝送ユニットの各々の前記変調部に順次に前記光信号を変調させ、
前記複数の伝送ユニットのうち、前記変調部が前記光信号を変調した第１伝送ユニット及び前記検出部が該変調された前記光信号を検出した第２伝送ユニットの対応関係を記録し、
該記録結果に基づき、前記複数の伝送ユニットの間の前記光ファイバの接続の順序を特定することを特徴とする伝送装置。
（付記２）  前記制御ユニットは、前記第１伝送ユニットの各々に対応する前記第２伝送ユニットの数の順位から前記光ファイバの接続の順序を特定することを特徴とする付記１に記載の伝送装置。
（付記３）  前記複数の伝送ユニットのうち、第３伝送ユニットは、前記光信号を生成する生成部を有し、
前記制御ユニットは、
前記生成部に前記光信号を生成させ、
前記第３伝送ユニットの前記変調部に前記光信号を変調させ、
前記複数の伝送ユニットのうち、前記検出部が該変調された前記光信号を検出した伝送ユニットを選択し、
前記第３伝送ユニットの前記変調部に前記光信号の変調を停止させ、
前記複数の伝送ユニットのうち、該選択した伝送ユニットの各々の前記変調部に順次に前記光信号を変調させることを特徴とする付記１または２に記載の伝送装置。
（付記４）  前記制御ユニットは、
該特定した前記光ファイバの接続の順序を所定の接続の順序と比較し、
前記光ファイバの接続の順序が前記所定の接続の順序に一致しない場合、警報を出力することを特徴とする付記１乃至３の何れかに記載の伝送装置。
（付記５）  前記変調部は、前記光信号のレベルが変動するように前記光信号を変調することを特徴とする付記１乃至４の何れかに記載の伝送装置。
（付記６）  伝送装置と、前記伝送装置を管理する管理装置とを有し、
前記伝送装置は、
光ファイバにより互いに接続され、前記光ファイバを介し光信号を伝送する複数の伝送ユニットと、
前記複数の伝送ユニットをそれぞれ制御する制御ユニットとを有し、
前記複数の伝送ユニットは、それぞれ、前記光信号を検出する検出部と、前記光信号を変調する変調部とを有し、
前記制御ユニットは、
前記複数の伝送ユニットの各々の前記変調部に順次に前記光信号を変調させ、
前記複数の伝送ユニットのうち、前記変調部が前記光信号を変調した第１伝送ユニット及び前記検出部が該変調された前記光信号を検出した第２伝送ユニットの対応関係を記録し、
該記録結果に基づき、前記複数の伝送ユニットの間の前記光ファイバの接続の順序を特定し、
該特定した前記光ファイバの接続の順序を所定の接続の順序と比較し、
前記光ファイバの接続の順序が前記所定の接続の順序に一致しない場合、前記管理装置に警報を出力し、
前記管理装置は、前記警報に基づき前記光ファイバの接続の異常を表示することを特徴とする伝送システム。
（付記７）  前記制御ユニットは、前記第１伝送ユニットの各々に対応する前記第２伝送ユニットの数の順位から前記光ファイバの接続の順序を特定することを特徴とする付記６に記載の伝送システム。
（付記８）  前記複数の伝送ユニットのうち、第３伝送ユニットは、前記光信号を生成する生成部を有し、
前記制御ユニットは、
前記生成部に前記光信号を生成させ、
前記第３伝送ユニットの前記変調部に前記光信号を変調させ、
前記複数の伝送ユニットのうち、前記検出部が該変調された前記光信号を検出した伝送ユニットを選択し、
前記第３伝送ユニットの前記変調部に前記光信号の変調を停止させ、
前記複数の伝送ユニットのうち、該選択した伝送ユニットの各々の前記変調部に順次に前記光信号を変調させることを特徴とする付記６または７に記載の伝送システム。
（付記９）  前記変調部は、前記光信号のレベルが変動するように前記光信号を変調することを特徴とする付記６乃至８の何れかに記載の伝送システム。
（付記１０）  光ファイバにより互いに接続され、前記光ファイバを介し光信号を伝送する複数の伝送ユニットの接続確認方法において、
前記複数の伝送ユニットは、それぞれ、前記光信号を検出する検出部と、前記光信号を変調する変調部とを有し、
前記複数の伝送ユニットの各々の前記変調部に順次に前記光信号を変調させる工程と、
前記複数の伝送ユニットのうち、前記変調部が前記光信号を変調した第１伝送ユニット及び前記検出部が該変調された前記光信号を検出した第２伝送ユニットの対応関係を記録する工程と、
該記録結果に基づき、前記複数の伝送ユニットの間の前記光ファイバの接続の順序を特定する工程とを、コンピュータが実行することを特徴とする接続確認方法。
（付記１１）  前記光ファイバの接続の順序を特定する工程において、前記第１伝送ユニットの各々に対応する前記第２伝送ユニットの数の順位から前記光ファイバの接続の順序を特定することを特徴とする付記１０に記載の接続確認方法。
（付記１２）  前記複数の伝送ユニットのうち、第３伝送ユニットは、前記光信号を生成する生成部を有し、
前記生成部に前記光信号を生成させる工程と、
前記第３伝送ユニットの前記変調部に前記光信号を変調させる工程と、
前記複数の伝送ユニットのうち、前記検出部が該変調された前記光信号を検出した伝送ユニットを選択する工程と、
前記第３伝送ユニットの前記変調部に前記光信号の変調を停止させる工程と、
前記複数の伝送ユニットのうち、該選択した伝送ユニットの各々の前記変調部に順次に前記光信号を変調させる工程とを、前記コンピュータが実行することを特徴とする付記１０または１１に記載の接続確認方法。
（付記１３）  該特定した前記光ファイバの接続の順序を所定の接続の順序と比較する工程と、
前記光ファイバの接続の順序が前記所定の接続の順序に一致しない場合、警報を出力する工程とを、前記コンピュータが実行することを特徴とする付記１０乃至１２の何れかに記載の接続確認方法。
（付記１４）  前記変調部に、前記光信号のレベルが変動するように前記光信号を変調させることを特徴とする付記１０乃至１２の何れかに記載の接続確認方法。
（付記１５）  光ファイバにより互いに接続され、前記光ファイバを介し光信号を伝送する複数の伝送ユニットの接続確認プログラムにおいて、
前記複数の伝送ユニットは、それぞれ、前記光信号を検出する検出部と、前記光信号を変調する変調部とを有し、
前記複数の伝送ユニットの各々の前記変調部に順次に前記光信号を変調させ、
前記複数の伝送ユニットのうち、前記変調部が前記光信号を変調した第１伝送ユニット及び前記検出部が該変調された前記光信号を検出した第２伝送ユニットの対応関係を記録し、
該記録結果に基づき、前記複数の伝送ユニットの間の前記光ファイバの接続の順序を特定する、処理を、コンピュータに実行させることを特徴とする接続確認プログラム。
（付記１６）  前記光ファイバの接続の順序を特定する処理において、前記第１伝送ユニットの各々に対応する前記第２伝送ユニットの数の順位から前記光ファイバの接続の順序を特定することを特徴とする付記１５に記載の接続確認プログラム。
（付記１７）  前記複数の伝送ユニットのうち、第３伝送ユニットは、前記光信号を生成する生成部を有し、
前記生成部に前記光信号を生成させ、
前記第３伝送ユニットの前記変調部に前記光信号を変調させ、
前記複数の伝送ユニットのうち、前記検出部が該変調された前記光信号を検出した伝送ユニットを選択し、
前記第３伝送ユニットの前記変調部に前記光信号の変調を停止させ、
前記複数の伝送ユニットのうち、該選択した伝送ユニットの各々の前記変調部に順次に前記光信号を変調させる、処理を、前記コンピュータに実行させることを特徴とする付記１５または１６に記載の接続確認プログラム。
（付記１８）  該特定した前記光ファイバの接続の順序を所定の接続の順序と比較し、
前記光ファイバの接続の順序が前記所定の接続の順序に一致しない場合、警報を出力する、処理を、前記コンピュータに実行させることを特徴とする付記１５乃至１７の何れかに記載の接続確認プログラム。
（付記１９）  前記変調部に、前記光信号のレベルが変動するように前記光信号を変調させることを特徴とする付記１５乃至１８の何れかに記載の接続確認プログラム。
【符号の説明】
【０１７７】
１      制御ユニット
８      ネットワーク管理装置
９      ＷＤＭ伝送装置
１０      ＣＰＵ
２０      アンプユニット
２１      スイッチユニット
２２      トランスポンダユニット
１３１     監視テーブル
Ｄ      検出部
Ｍ      変調部
Ｓ      生成部
【図１】
2017212604.tif 000003
【図２】
2017212604.tif 000004
【図３】
2017212604.tif 000005
【図４】
2017212604.tif 000006
【図５】
2017212604.tif 000007
【図６】
2017212604.tif 000008
【図７】
2017212604.tif 000009
【図８】
2017212604.tif 000010
【図９】
2017212604.tif 000011
【図１０】
2017212604.tif 000012
【図１１】
2017212604.tif 000013
【図１２】
2017212604.tif 000014
【図１３】
2017212604.tif 000015
【図１４】
2017212604.tif 000016
【図１５】
2017212604.tif 000017
【図１６】
2017212604.tif 000018
【図１７】
2017212604.tif 000019
【図１８】
2017212604.tif 000020
【図１９】
2017212604.tif 000021
【図２０】
2017212604.tif 000022